(57)【特許請求の範囲】
【請求項１】
ケーブル心線上に被覆層を形成したケーブルを該ケーブルを軸として相対的に回転可能に、かつその軸方向に相対的に移動可能に把持するケーブル把持手段と、
直交する２方向に幅広の所定幅を切削する刃部を有し、前記ケーブル把持手段に取り付けられてケーブルを軸として相対的に回転、または軸方向に相対的に移動するケーブルの被覆層を切削する切削刃部材と、
前記ケーブル把持手段に把持されたケーブルに対して、前記切削刃部材の突出高さを調節可能に、かつ、前記直交する２方向の刃部の一方向の刃部をケーブルの円周方向に向くように、また、他方向の刃部をケーブルの軸方向に向くように切削刃部材を保持する切削刃部材保持部と
を備えたことを特徴とするケーブル被覆除去装置。
【発明の詳細な説明】
【０００１】
【発明の属する技術分野】
本発明は、通信ケーブルなどのケーブルのケーブル心線上に形成された被覆層を除去するケーブル被覆除去装置に関する。
【０００２】
【従来の技術】
従来のケーブル被覆層の除去は、例えば以下に示す方法で行われていた。即ち、図６（ａ）に示すように、薄い板状の２枚の切断刃（図示されず）を被覆層２の厚さ相当に送り込ませ、切り込ませた状態でケーブル１周上を３６０°回転させ、被覆層２の円周上に線状の切れ目４を入れる。次いで、被覆層２の除去すべき長さ（例えば３０ｃｍ程度の接続処理に要する長さ）の離れたところの円周上に同様に線状の切れ目５を入れる。次いで、切断刃の向きを変えて、切断刃をケーブル１の軸方向に平行に移動させて、円周上の切れ目４から切れ目５まで直線状の２本の切れ目６、６を軸対称に入れる。そうすると、図６（ｂ）に示すように、半円筒状に切断された被覆層部分２ａを取り除くことができ、ケーブル１中間部にケーブル心線３が露出した被覆除去部を形成することができる。
【０００３】
【発明が解決しようとする課題】
しかしながら、上述のケーブル被覆層の除去方法には以下のような問題があった。即ち、図７に示すように、切断刃７が被覆層２の下部まで送り込まれた適正な状態（ａ）に対して、切断刃７が送り込み不足の状態（ｂ）では、切断作業を繰り返す必要が生じる。また、切断刃７の送り込み過多の状態（ｃ）では、ケーブル心線３を損傷させる。
被覆層除去のための切断刃の送り込みの程度は、ケーブルの種類により相違し、また、同種のケーブルでも製造時の被覆層厚さのばらつきにも影響される。従って、被覆層除去の都度、切断刃の送り込みの程度を適正な状態にする必要がある。
従来は、この切断刃の送り込みの程度は作業者の熟練度に頼っており、正確な送り込みを行うことが困難であるという問題があった。
【０００４】
【課題を解決するための手段】
本発明は上記問題点を解決すべくなされたもので、ケーブル心線上に被覆層を形成したケーブルを該ケーブルを軸として相対的に回転可能に、かつその軸方向に相対的に移動可能に把持するケーブル把持手段と、直交する２方向に幅広の所定幅を切削する刃部を有し、前記ケーブル把持手段に取り付けられてケーブルを軸として相対的に回転、または軸方向に相対的に移動するケーブルの被覆層を切削する切削刃部材と、前記ケーブル把持手段に把持されたケーブルに対して、前記切削刃部材の突出高さを調節可能に、かつ、前記直交する２方向の刃部の一方向の刃部をケーブルの円周方向に向くように、また、他方向の刃部をケーブルの軸方向に向くように切削刃部材を保持する切削刃部材保持部とを備えたことを特徴とするケーブル被覆除去装置である。ここで、幅広の所定幅を切削する刃部とは、溝状の切削跡の底部を目視可能で、切削深さ状態を目視で確認できるだけの広さの幅を有する刃部ということである。
【０００５】
本発明のケーブル被覆除去装置をケーブルを軸として相対的に回転させ、ケーブルの円周方向の被覆層を切削すると、刃部が幅広であるため、切削跡が帯状になり、切削跡の状態を目視で確認することができる。従って、切削跡の状態を目視で確認しながら、切削刃部材の突出高さを調節し、被覆層を円周方向に切削していくと、被覆層が除去されてケーブル心線が露出する時点を容易に確認することができる。そのときの切削刃部材の突出高さを適正な状態として切削すると、ケーブル心線に損傷を与えることなく、被覆層を除去することができる。
また、直交する２方向に幅広の刃部を有する切削刃部材は、直交する２方向の一方向の刃部をケーブルの円周方向に向くように、また、他方向の刃部をケーブルの軸方向に向くように切削刃部材保持部で保持されている。従って、上述のようにして円周方向の切削のために適正な状態に切削刃部材を保持すると、そのままの状態で刃部の向きを変えることなく、切削刃部材をケーブルの軸方向に相対的に移動させることにより、ケーブル心線に損傷を与えることなく、軸方向に帯状に被覆層を作業性よく切削、除去することができる。
【０００６】
【発明の実施の形態】
以下、図面に基づいて本発明の実施の形態を詳細に説明する。
図１、２、３はそれぞれ、本発明にかかるケーブル被覆除去装置の一実施形態の正面説明図、その左側面説明図および右側面説明図である。
図１、２、３において、１１、１２はそれぞれＶ溝１１ａ、１２ａを有する固定把持体および可動把持体であって、ケーブル把持手段を構成する。固定把持体１１は側板１３に固定されている。また、可動把持体１２は側板１３に設けられた上下方向の長穴１３ａに沿ってスライド可能に、留めネジ１４により側板１３に固定される。ケーブル１を把持する際には、ケーブル１の外径に応じて可動把持体１２を側板１３に対してスライドさせて、留めネジ１４で固定する。
【０００７】
１５は固定把持体１１上に設けられた切削刃部材保持部である。切削刃部材保持部１５は切削刃部材１６を固定把持体１１を貫通してＶ溝１１ａから突出するように保持する。切削刃部材１６のＶ溝１１ａから突出する高さは、調整ネジ１７で調整可能になっている。
【０００８】
切削刃部材１６は、図４、５に示すように、切削状態が目視で確認できる幅広の刃部１８、１９を直交する２方向に有し、刃部１８がケーブル１の円周方向を向くように、また、刃部１９はケーブル１の軸方向を向くように切削刃部材保持部１５で保持されている。
切削刃部材１６の端面は円筒に沿うよう凹面をなしている。即ち、その刃部１８は直線状をなして、相対的に軸の回りに回転するケーブル１の被覆層２を円周方向に帯状に切削する。また、刃部１９は円弧状の凹状をなしており、相対的に軸方向に移動するケーブル１の円筒状の被覆層２を軸方向に帯状に効率よく切削する。
【０００９】
本実施形態のケーブル被覆除去装置を用いて、張架されたケーブルの被覆層を以下の手順で除去する。即ち、
１）先ず、図１、２に示すように、充分に広げられたＶ溝１１ａ、１２ａ間にケーブル１を挿入し、次いで、可動把持体１２を上方にスライドさせて、Ｖ溝１１ａ、１２ａでケーブル１をその軸の回りに相対的に回転可能に、かつその軸方向に相対的に移動可能に把持し、可動把持体１２をその位置で留めネジ１４で側板１３に固定する。
２）次いで、図４に示すように、調整ネジ１７を回して切削刃部材１６を突出させ、刃部１９をケーブル１の被覆層２に当接させる。この状態から刃部１９をさらに徐々に突出させて被覆層２に切り込ませながら、張架されたケーブル１の軸方向に所定の距離だけ往復させ、刃部１９で帯状に被覆層２を軸方向に切削し、切削部２０を設ける。切削し、ケーブル心線３が露出して確認されたら、刃部１９の向きを変えずに、突出した切削刃部材１６をもとの位置に戻す。
３）次いで、図５に示すように、再度、切削刃部材１６を突出させ、刃部１８を切削部２０の端部に当接させる。この状態から刃部１８をさらに徐々に突出させて被覆層２に切り込ませながら、張架されたケーブル１の軸の回りにケーブル被覆除去装置を回転させて、被覆層２を帯状に円周に切削し、切削部２１を設ける。切削部２１は切削部２０の両端に設ける。切削部２１の切削状態は、固定把持体１１および可動把持体１２の側面に設けられたスリット１１ｂ、１２ｂ（図２に示す）から目視して確認することができる。そうして、ケーブル心線３が露出したところで円周方向の切削を終了する。
４）次いで、上記円周方向の二箇所の切削部２１間の被覆層２の端部を治具でつかみ、ケーブル１から剥がす。
【００１０】
上述のように、本実施形態のケーブル被覆除去装置を用いると、作業者の熟練度に頼ることなく、目視で被覆層２の除去状態を確認することができるので、ケーブル心線３に損傷を加えることなくケーブルの被覆層２を除去することができる。また、切削刃部材１６の刃部１８、１９の向きをかえることなく、円周方向および軸方向の切削ができるので、作業性がよい。
【００１１】
【発明の効果】
以上説明したように本発明によれば、ケーブル心線に損傷を加えることなく、また、作業性よく被覆層を除去することができるという優れた効果がある。
【図面の簡単な説明】
【図１】本発明に係るケーブル被覆除去装置の一実施形態の正面説明図である。
【図２】図１の左側面説明図である。
【図３】図１の右側面説明図である。
【図４】上記実施形態によるケーブルの軸方向の被覆層除去の説明図である。
【図５】上記実施形態によるケーブルの円周方向の被覆層除去の説明図である。
【図６】（ａ）および（ｂ）は、従来のケーブル被覆層の除去方法の説明図である。
【図７】従来のケーブル被覆層の除去方法の問題点の説明図である。
【符号の説明】
１              ケーブル
２              被覆層
２ａ            被覆層部分
３              ケーブル心線
４、５、６      切れ目
７              切断刃
１１              固定把持体
１１ａ、１２ａ    Ｖ溝
１２              可動把持体
１３              側板
１３ａ            長穴
１４              留めネジ
１５              切削刃部材保持部
１６              切削刃部材
１７              調整ネジ
１８、１９        刃部
２０、２１        切削部
【図１】
0003717299.tif 000002
【図２】
0003717299.tif 000003
【図３】
0003717299.tif 000004
【図４】
0003717299.tif 000005
【図５】
0003717299.tif 000006
【図６】
0003717299.tif 000007
【図７】
0003717299.tif 000008